(57)【要約】【課題】  本体ケースに回動自在にロックレバーを設けるとともに、該ロックレバーに係合するロック用突起部材を上下動可能に取り付ける等の簡単な機構により、ロック機構及びプレート等の製作誤差にかかわらず常時所定のロック力を付与可能なホットプレートの支持構造を提供すること。【解決手段】  本体ケースと、該本体ケース内に収納配置されるプレートと、該プレートを加熱するための加熱源と、前記プレート上に載置される蓋と、該蓋の上部に取り付けられる蓋取手と、前記本体ケースに回動自在に取り付けられ前記本体ケースと前記蓋とをロック可能なロックレバーとを有するホットプレートにおいて、前記蓋取手には熱伝導抑制用貫通孔が設けられ、前記蓋取手の下側にはロック用突起部材がその一部を前記熱伝導抑制用貫通孔より上方に突出する形態で上下動可能に設けられ、該ロック用突起部材はロック時には前記ロックレバーと係合される構成。【選択図】        図５
2005224260.tif 000002
【特許請求の範囲】
【請求項１】
本体ケースと、該本体ケース内に収納配置されるプレートと、該プレートを加熱するための加熱源と、前記プレート上に載置される蓋と、該蓋の上部に取り付けられる蓋取手と、前記本体ケースに回動自在に取り付けられ前記本体ケースと前記蓋とをロック可能なロックレバーとを有するホットプレートにおいて、前記蓋取手には熱伝導抑制用貫通孔が設けられ、前記蓋取手の下側にはロック用突起部材がその一部を前記熱伝導抑制用貫通孔より上方に突出する形態で上下動可能に設けられ、該ロック用突起部材はロック時には前記ロックレバーと係合されることを特徴とするホットプレート。
【請求項２】
前記ロック用突起部材は、バネを介して前記蓋取手の下側に取り付けられ常時上方に荷重がかけられることを特徴とする請求項１記載のホットプレート。
【請求項３】
前記バネは板バネで、その支点は前記蓋の外端よりも内側に設けることを特徴とする請求項１、２記載のホットプレート。
【請求項４】
前記ロックレバーは、ロック時に前記蓋取手を押さえることを特徴とする請求項１ないし３記載のホットプレート。
【発明の詳細な説明】
【技術分野】
【０００１】
本願発明は、本体ケースと少なくとも１枚のプレートと蓋とを有するホットプレートに関し、特にホットプレートの両側面にロックレバーを設け、蓋取手と嵌合させることによりホットプレートの各部材をサンドイッチ固定できるようにしたものの改良に関するものである。
【背景技術】
【０００２】
従来ホットプレートは、外郭を形成し底部に脚を有する本体ケースと、その本体ケースに収納配置され肉等を加熱調理するためのプレート、或いはたこ焼き用のプレート等からなる複数の調理プレートと、調理プレートの下方に配置され加熱調理するためのヒータ等からなる加熱源と、調理プレートの上方に載置される蓋等の部材から構成される。
【０００３】
ホットプレートは、家庭内で簡単に肉等を調理することができ、またたこ焼き等機能の異なる複数枚のプレートを有するものでは必要に応じて使い分けできるとともに、各部材は着脱自在にされており別々に洗うことができるため衛生的でもある。更に使用しない時には本体ケース内に複数の調理プレートを積み重ね、その上から蓋をすることにより各部材を一体に組み付けることができる等便利な調理具である。
【０００４】
ところでホットプレートを使用しない時には本体ケース内に一個或いは複数の調理プレート等を積み重ねて片付けることになり、水平な状態でそのまま収納することも可能ではあるが、水平な状態で収納するとどうしても広い収納場所を要することになる。それに対し縦置きにして収納する方が場所を取らずそのような形態で収納することができるものが望まれていた。
【０００５】
そのような要望に答えるものとして、図２４に示す収納スタンドが提案されている。図に示すホットプレートａは、その外郭をなす本体ケースｂ、該本体ケースｂ内に順次収納配置される受け皿ｃ、反射体ｄ及びプレートｅ、更にはプレートｅの下部のヒータｆ等からなる公知のものである。
【０００６】
一方収納スタンドｈは、支持部ｈ１、脚部ｈ２及び狭持部ｈ３からなる断面略７字状の２組からなる支持部材であり、ホットプレートａの使用時にはその全体が水平状態で本体ケースｂの底部に係止手段により固定される。そしてホットプレートａの収納時には、２個の収納スタンドｈはそれぞれ係止状態を解放された後本体ケースｂの底部から引き出され、９０度回動され、収納スタンドｈの脚部ｈ２を垂直に、狭持部ｈ３を水平且つ支持部ｈ１のほぼ真上になるようにされ、その状態でホットプレートａ方向に押し込まれ、狭持部ｈ３の先端を蓋ｇの上面に強く当接し、脚部ｈ２を本体ケースｂの側面より外方に出っ張るようにされる。
【０００７】
その結果、ホットプレートａの全部材は２本の収納スタンドｈにより一体的に狭持されるため、ホットプレートａは、縦置きにされそのままの状態で収納箇所に収納されることになる（例えば、特許文献１参照。）。
【０００８】
ところでこの支持部材は、ホットプレートａに取り付けられているため紛失等の心配はないが、本体ケースｂを横向きにし、係止状態を外し、引き出し、回動し、その後再度押し込むというように操作が面倒であり、また、支持状態では狭持部ｈ３の先端が蓋ｇの上面を下方向に強く押圧するため蓋ｇに傷が付く恐れがあるとともに、その狭持力も十分とは言えず縦置きにして持ち上げた場合、各部材がバラバラになる恐れを有していた。
【０００９】
本出願人は、このような弊害を無くすためのものとして本体ケースの両側部にロックレバーを回動自在に設け、このロックレバーを回動することによりホットプレートの各部材を一体に取り付けることができるロック機構を既に出願している（特願２００３−１０７３２３号）。
【００１０】
このロック機構は、簡単な操作で確実にホットプレートの各部材を一体に取り付けることができるものであるが、蓋取手部分が何等かの原因で凹んだり、ロック機構及びプレート等に製作誤差に起因した高さ方向の変動があった場合には、ロック機構が固くなったり緩くなったりしロック機構が十分機能しなくなる事態が起こり得る可能性があった。
【特許文献１】特開２００２−３０６３３１公報
【発明の開示】
【発明が解決しようとする課題】
【００１１】
本発明は、本体ケースに回動自在にロックレバーを設けるとともに、該ロックレバーに係合するロック用突起部材を上下動可能に取り付ける等の簡単な機構により、ロック機構及びプレート等の製作誤差にかかわらず常時所定のロック力を付与可能なホットプレートの支持構造を提供することを目的にするものである。
【課題を解決するための手段】
【００１２】
上記目的を達成するため、本願発明は以下の構成を採用する。
【００１３】
請求項１に係る発明では、本体ケースと、該本体ケース内に収納配置されるプレートと、該プレートを加熱するための加熱源と、前記プレート上に載置される蓋と、該蓋の上部に取り付けられる蓋取手と、前記本体ケースに回動自在に取り付けられ前記本体ケースと前記蓋とをロック可能なロックレバーとを有するホットプレートにおいて、前記蓋取手には熱伝導抑制用貫通孔が設けられ、前記蓋取手の下側にはロック用突起部材がその一部を前記熱伝導抑制用貫通孔より上方に突出する形態で上下動可能に設けられ、該ロック用突起部材はロック時には前記ロックレバーと係合される構成。
【００１４】
そしてこのような構成により、ホットプレートの全部材を積み重ねた後、支持部材であるロックレバーを弧回動するという簡単な操作により、ホットプレートの全部材を支持することができ、且つ、例えロックレバー及びプレート等に製作誤差に起因した高さ方向の変動があったとしてもロック用突起部材が上下動することにより変動分を吸収し、常時同様な係合状態を維持する。また、熱伝導抑制用貫通孔は通気孔としての機能も有する。
【００１５】
請求項２に係る発明では、前記ロック用突起部材は、バネを介して前記蓋取手の下側に取り付けられ常時上方に荷重がかけられる構成。そしてこのような構成により、請求項１に係る発明の作用に加え、ロック用突起部材の上下動機構が小型化及び簡潔化され、且つその上下動がより確実になる。
【００１６】
請求項３に係る発明では、前記バネは板バネで、その支点は前記蓋の外端よりも内側に設ける構成。そしてこのような構成により、請求項１、２に係る発明の作用に加え、ロックレバーの係合時には、支点と係合部との距離が長く取れ曲げモーメントは大きくなるため、少ない力で係合でき、係合を解除する時には、支点と係合部との距離が短くなり曲げモーメントは小さくなるため、係合時より大きい力でないと解除できなくなる。
【００１７】
請求項４に係る発明では、前記ロックレバーは、ロック時に前記蓋取手を押さえる構成。そしてこのような構成により、請求項１ないし３に係る発明の作用に加え、ロック時の蓋取手を押さえる狭持力が高まる。
【発明の効果】
【００１８】
請求項１に係る発明では、蓋取手に熱伝導抑制用貫通孔を設け、蓋取手の下側にロック用突起部材をその一部が熱伝導抑制用貫通孔より上方に突出する形態で上下動可能に設け、ロック用突起部材をロック時にロックレバーと係合することにより、ホットプレートの全部材を積み重ねた後、支持部材であるロックレバーを弧回動するという簡単な操作により、ホットプレートの全部材を強固に支持することができるとともに、ロックレバーと蓋取手との係合により狭持が行われるため蓋が傷付くことが防止できる。また、熱伝導抑制用貫通孔は通気孔としての機能も有するため、調理時例え蓋が熱い状態にあったとしても蓋取手の先端部を持って蓋を容易に持ち上げることができる。
【００１９】
また、例えロックレバー及びプレート等に製作誤差に起因した高さ方向の変動があったとしてもロック用突起部材が上下動し変動分を吸収するため常時同様な強固な係合を維持することができるとともに、常時所定並びにそれ以上の力でロックすることができるためホットプレートの信頼性が向上する。
【００２０】
請求項２に係る発明では、ロック用突起部材を、バネを介して蓋取手の下側に取り付け常時上方に荷重がかかるようにすることにより、請求項１に係る発明の効果に加え、ロック用突起部材の上下動機構を小型化且つ簡潔化することができるため生産コストを低く抑えることができるとともに、その上下動をより確実に行うことができるためその分ホットプレートの信頼性が向上する。
【００２１】
請求項３に係る発明では、バネを板バネから形成するとともに、その支点を蓋の外端よりも内側に設けることにより、請求項１、２に係る発明の効果に加え、ロックレバーの係合時には、ロックレバーの係止突起がロック用突起部材の外側、即ち支点と反対の面に当たることになり、支点と係合部との距離が長くなって曲げモーメントは大きくなるため、少ない力で簡単且つ確実に係合することができる。
【００２２】
また係合を解除する時には、ロックレバーの係止突起がロック用突起部材の内側、即ち支点方向の面に当たることになり、支点と係合部との距離が短くなって曲げモーメントは小さくなるため、係合時より大きい力でないと解除できなくなる。そのため、例えば、小さな子供がいたずらでロックレバーを解除しようとしても解除できず、また、ホットプレートを積み重ねて持ち運びする際、簡単に係合が解除することはないため安心して持ち運びすることができ、それだけ安全性を高めることができる。
【００２３】
請求項４に係る発明では、ロック時、ロックレバーにより蓋取手を押さえることにより、請求項１ないし３に係る発明の効果に加え、ロック時の蓋取手を押さえる狭持力を高めることができるためそれだけホットプレートの信頼性を高めることができる。
【実施例１】
【００２４】
図１、２、３にホットプレート１の各部材を積み重ね、ホットプレート１の対向する短辺側面に設けた２個のロックレバー２１でホットプレート１を嵌合した状態を示す。図１はその平面図を、図２は長辺側から見た正面図を、図３は短辺側から見た側面図をそれぞれ示す。
【００２５】
その断面を示す図５により説明する。図５ではロックレバー２１が上動しホットプレート１のプレート５等の各部材を嵌合狭持する使用時と、下動しホットプレート１の各部材を解放する非使用時とを同時に示す。ホットプレート１は、外側に位置する本体ケース２と、その本体ケース２の内側に配置されるほぼ皿形状の遮熱部材３と、その遮熱部材３の内側に着脱自在に配置される加熱源としてのヒータ４と、そのヒータ４の上部に着脱自在に載置される２個のプレート５、５及びそのプレート５、５の上方開口面を閉蓋する蓋６等からなる。
【００２６】
前記遮熱部材３は、金属性の薄板をプレス加工により一体成形されるもので、平面視矩形状でその全体はほぼ皿状とされ、本体ケース２内に載置される。また、この遮熱部材３の表面に熱を反射するための処理を施しても良く、或いは別体の反射板を取り付けても良い。
【００２７】
ヒータ４は、図示しないが平面視略ハート状或いはＹ字状からなり、シーズヒータが使われる。このシーズヒータは金属パイプの中にコイル状の電熱線を通し、パイプと電熱線間の接触を防ぐためマグネシアなどの耐熱性の無機質絶縁粉末を詰め、金属パイプの両端を密封した構造を有するもので通常インコロイヒータとも呼ばれるものである。そしてその端部には既に公知の感熱棒を有する温度調節器が着脱自在に取り付けられ、適正な温度制御を行う。なお、ヒータ４は特にシーズヒータである必要はなく他のヒータを用いても良い。
【００２８】
プレート５は厚いアルミダイカスト製のものから作られ、やはり平面視矩形状でその全体はほぼ皿状に形成され、その短辺側の両側面にはそれぞれプレート取手７が設けられるとともに、その上方開口端には前記蓋６が載置されるためのプレート段部８が形成される。なお、プレート５には肉等を焼くためのプレート、たこ焼きを作るためのプレート等複数種あるが、図５には特に種類を特定せず単に２枚のプレート５、５を図示している。
【００２９】
蓋６は鋼板製で、プレート５とほぼ同じ平面視矩形状の部材であり、その外周端部には補強用等の機能を有するカール９が形成され、該カール９はプレート５の上方開口端に形成されるプレート段部８に載置される。また、その断面は図５に示すようにその中央部が盛り上がった円弧状にされ、更に短辺側の上面端部には蓋取手用段部１０が形成されるとともに、該蓋取手用段部１０にはそれぞれ同じ形状の後記の蓋取手３０がビス１１により下方側から一体的に取り付けられる。
【００３０】
前記本体ケース２はホットプレート１の外郭を構成する樹脂製部材であり、平面視矩形状でその全体はほぼ皿形状を呈し、その底部には複数個の脚部１２が一体に形成される。また本体ケース２は、本体ケース２の底面図である図４に示すように、その中央部には大きな開口１３を有するとともに、その外周上には複数本の補強リブ１４を有する環状溝１５が形成される。この環状溝１５は下方が開口した断面逆Ｕ字状からなり、後記する軸体２７が挿入される箇所には、それぞれ２個のビス穴１５ｂを有するビス穴用ボス１５ａが形成される。更に、該環状溝１５の内側には遮熱部材３等が配置される収納空間１６が形成される。
【００３１】
また、前記環状溝１５の短辺側面部１７、１７には、それぞれ図３、図４に示すように所定距離離れて垂直で且つ平行の２本の縦溝１８、１８が形成される。この縦溝１８は図４、図９に示すように断面コ字状で、その対向して形成される側壁面１９のうち外方側、即ち中央側とは反対側に位置する側壁面１９には、垂直状の切欠き溝２０が外方側の側壁面１９の下端部からその途中まで所定長さに亘って形成されるとともに、該切欠き溝２０の上端部は、図２０に示すように半円弧状に形成され、後記のロックレバー２１が軸支される軸体２７の軸２９が当接される。
【００３２】
符号２１はロックレバーであり、その詳細を図１１、図１２及び図１３に示す。図１１はその平面を、図１２は図１１のＣ−Ｃ線断面を、図１３はその側面をそれぞれ示す。
【００３３】
該ロックレバー２１は、把持部２２及び該把持部２２の両端に平行に配置される側柱部２３を有する樹脂製の門形状部材である。前記把持部２２は手でもってロックレバー２１を上下動させる部分であり、その平面は図１１に示すように長辺部が上下に膨らんでなるほぼ矩形状を呈し、その断面は図１２に示すように水平部２２ａ及び円弧部２２ｂからなる。そして円弧部２２ｂの端部である後端部２２ｃに手をかけてロックレバー２１を上動するとともに、水平部２２ａの端部である前端部２２ｄに手をかけてロックレバー２１を下動することになる。
【００３４】
また、水平部２２ａの端部である前端部２２ｄの下面には、図１、図１１、図１２に示すように前記蓋取手３０の上壁面に後記の熱伝導抑制用貫通孔３４から突出するロック用突起部材４２に係合可能な短い長さの係止片２２ｅが形成され、更にその後端部２２ｃ寄りにロック時に蓋取手３０の上壁面に当接される長い長さの係合突起２２ｆが形成される。
【００３５】
前記側柱部２３、２３は、把持部２２の両端部に平行且つ一体に形成される平板状部材であり、ロックレバー２１を支持する部分に相当する。該側柱部２３は、図１３に示すように上端部は前記把持部２２の下端部と一体に形成されるとともに、その下端部には後記の軸２９が嵌合される丸孔２５が形成されるとともに、この丸孔２５には把持部２２の後端部２２ｃ方向に向かって水平に延びる切欠き２６が一体に形成されており、更に、側柱部２３の内壁面２３ａには、その全高に亘って垂直なリブ２４が形成されている。
【００３６】
符号２７は前記ロックレバー２１を軸支する軸体であり、その詳細を図８、図９及び図１０に示す。軸体２７は、ＰＯＭ等の低摩擦及び低摩耗性の樹脂から形成され、本体部２８及び軸２９からなる。本体部２８は下方開口の箱形中空状部材であり、その内部には２つのビス貫通口２８ａ、２８ａ及び補強リブ２８ｂが形成される。
【００３７】
前記軸２９は、本体部２８の短辺側面２８ｃの上方部に水平方向に延びる形態で一体に形成されており、その先端上方には前記ロックレバー２１の切欠き２６に挿入可能な軸突起２９ａが一体に形成されている。
【００３８】
そしてこの軸体２７は本体ケース２の外周上に形成される環状溝１５内に下方から上方に向かって押し込まれる形態で挿入される。その挿入箇所は、図４及び図９に示すように縦溝１８が形成される箇所で、縦溝１８の外方側の切欠き溝２０が形成される側壁面１９に当接し、且つ軸体２７の軸２９はその側壁面１９に形成される切欠き溝２０から縦溝１８内に突出される形態で配置される。
【００３９】
即ち、挿入後においては図４及び図９に示すように、軸体２７の短辺側面２８ｃが縦溝１８の側壁面１９に当接し、軸体２７の軸２９は縦溝１８内に突出する形態となる。図は、環状溝１５内に単に軸体２７を挿入した状態を示しているが、実際には図９に点線でロックレバー２１を示すようにロックレバー２１の両丸孔２５、２５内にそれぞれ軸体２７の軸２９を挿入した後に該軸体２７を環状溝１５内に挿入することになる。
【００４０】
次にその組み立てについて図２０により説明する。図２０（Ａ）図は、軸体２７とロックレバー２１との組み立てを示し、その（Ｂ）図は、更に本体ケース２との組み付けを示す。まず（Ａ）図についてであるが、軸体２７を立て、その軸２９をこちらに向けた状態にすると、軸２９上に形成される軸突起２９ａは上を向いた状態になる。
【００４１】
次に、ロックレバー２１を水平にしてその把持部２２を図に示すように右側に向くように配置すると側柱部２３に設けられる丸孔２５に形成される切欠き２６は上を向くことになるため、その状態で側柱部２３の丸孔２５に軸体２７の軸２９を合わせる。次いで側柱部２３の丸孔２５に軸体２７の軸２９を押し込む。丸孔２５及び切欠き２６は軸２９及び軸突起２９ａより若干大きく形成されているため、軸２９上に形成される軸突起２９ａは、丸孔２５に形成される切欠き２６内を通過し、軸２９は丸孔２５に挿入されることになる。
【００４２】
そのような操作をロックレバー２１の両側柱部２３、２３の両丸孔２５、２５で行い、それぞれの丸孔２５、２５内に軸体２７、２７を嵌合する。嵌合後、矢印の時計方向にロックレバー２１を回動して用いることになるが、組み付け後のロックレバー２１の使用時及び非使用時にはロックレバー２１と軸体２７とはもはや（Ａ）図の位置を占めることはないため、ロックレバー２１と軸体２７とが切り離されることはない。
【００４３】
ロックレバー２１と軸体２７とが組み立てられた後、（Ｂ）図に示すようにロックレバー２１を（Ａ）図より１８０度反対側に回動し、その状態で軸体２７を本体ケース２の環状溝１５内に挿入する。その挿入は、ロックレバー２１の側柱部２３と軸体２７との間に切欠き溝２０が形成される側壁面１９が入り込む形態で行われる。挿入後においては、軸体２７に形成される２つのビス貫通口２８ａは環状溝１５内に形成される２つのビス穴用ボス１５ａに形成されるビス穴１５ｂと図１０に示すように一致するため、図示しないビスにより軸体２７を本体ケース２に強固に固定する。
【００４４】
その結果、図９に示すように軸体２７の軸２９は縦溝１８内を横断して位置し、側柱部２３の丸孔２５は縦溝１８内において軸２９に軸支され、ロックレバー２１は軸２９を中心にして回動自在に取り付けられることになる。
【００４５】
前記軸体２７がロックレバー２１とともに縦溝１８内に挿入された後の軸２９の位置は、図５に示すようにホットプレート１の全高（Ｈ１＋Ｈ２）の中間よりも上方位置、即ち、脚部１２の最下端より軸２９の軸心までの高さＨ１の方が、軸２９の軸心より蓋取手３０の最上面部までの高さＨ２より大きい位置とされる。そして、高さＨ２はホットプレート１の全部材を確実に狭持できる高さに選定される。
【００４６】
蓋取手３０について説明する。その詳細を図１４、図１５に示す。図１４はその平面を、図１５は図１４のＤ−Ｄ線断面を示す。蓋取手３０は、蓋６上に位置し平面視略円弧状の肉厚の本体部３１と、該本体部３１から外方に一体的に延設され平面視矩形状の肉薄の舌状部３２とからなる樹脂製部材である。
【００４７】
舌状部３２は本体部３１より一段低くされ、両者３１、３２の境界には円弧状段部３３が形成されるとともに、舌状部３２上下に貫通した矩形状の熱伝導抑制用貫通孔３４が形成される。更に、前記本体部３１の底部中央には、ビス穴３６ａを有するバネ締結用ボス３６が垂下され、バネ締結用ボス３６の左右には、ビス穴３５ａを有する蓋締結用ボス３５が垂下される。なお、蓋締結用ボス３５の長さは、図に示すようにバネ締結用ボス３６より長くされている。なお、３４ａは円弧状段部３３に２個形成される同形の補助的貫通孔であり、この補助的貫通孔３４ａはその内部に何も挿入されないただの孔であるため補助的貫通孔３４ａを設けることにより熱伝導の抑制がさらに向上する。
【００４８】
蓋取手３０の下部に取り付けられる板バネ４０及びロック用突起部材４２を図１６乃至図１８に示す。図１６は板バネ４０の平面を、図１７はそのＥ−Ｅ線断面図を示し、図１８はロック用突起部材４２の平面を、図１９はそのＦ−Ｆ線断面図を示す。
【００４９】
板バネ４０は、矩形状の薄板金属部材であり、その両端に取付用のビス穴４１ａ、４１ｂが設けられる。また、ロック用突起部材４２は、略鳥形状の断面を有する平面視矩形状の樹脂製部材であり、その上方側先端部には、上方に突出した突起部４３を有し、下方側後端部には、下方に垂下しその中央部に上下に貫通するビス穴４４ａを穿設してなるボス部４４を有するとともに、該ボス部４４の上面には水平段部からなり、前記板バネ４０の一端部が挿入される載置面４５が形成される。
【００５０】
蓋取手３０と板バネ４０及びロック用突起部材４２の取り付けは、まず、ロック用突起部材４２のボス部４４上面に形成される載置面４５に板バネ４０を載せる。載置面４５に板バネ４０を載せると、ボス部４４のビス穴４４ａと板バネ４０の一端部に設けられるビス穴４１ａとが一致するため、ビス４６を上方より螺合し、板バネ４０とロック用突起部材４２とを一体に取り付ける。その結果、板バネ４０とロック用突起部材４２とは断面略し字状を呈する。
【００５１】
次いで、一体にした板バネ４０及びロック用突起部材４２を蓋取手３０の下方に位置させるとともに、ロック用突起部材４２の突起部４３を蓋取手３０の熱伝導抑制用貫通孔３４から上方に突出させ、板バネ４０の他端部のビス穴４１ｂを蓋取手３０の下面中央部に垂下されるバネ締結用ボス３６に合わせる。そしてビス４７を下方から螺合させ、図５、図６、図７に示すように板バネ４０と蓋取手３０を一体化する。
【００５２】
この場合、ビス４７は板バネ４０の支点位置になり、その位置は図７に示すように蓋６の外端であるカール９よりも距離Ｒだけ内側になるように設定される。このようにビス４７の位置を設定することにより、ロックレバー２１とロック用突起部材４２との係合時並びに解除時に加える力を調節するための自由度が高まる。
【００５３】
その後、蓋取手３０を蓋６の短辺側の上面端部に形成される蓋取手用段部１０に置き、蓋取手３０底部に垂下する２個の蓋締結用ボス３５に形成されるビス穴３５ａに下方よりビス１１を螺合し、蓋６と蓋取手３０とを一体化する。なお、蓋６と蓋取手３０との一体化後、支点となるビス４７の位置は、蓋６の外端部であるカール９の位置よりも内側になるとともに、ロック用突起部材４２の突起部４３はカール９の位置よりも外側になるように設けられる。
【００５４】
そして一体化された後において板バネ４０を上方から螺合するビス４６の頂部ｋは、図６で示すように蓋取手３０の円弧状段部３３の底面に当接するとともに、ビス４６と支点となるビス４７との間のバネ体がやや上方に湾曲した形状を呈し、その結果板バネ４０は、ロック用突起部材４２の突起部４３を常時上方に荷重をかける形態とされる。
【００５５】
そのためロック用突起部材４２の突起部４３は、蓋取手３０の熱伝導抑制用貫通孔３４から上方に突出され、突起部４３の上端部４３ａに下向きの力が付与された時、ロック用突起部材４２は、ビス４７を支点として下方に移動され、付与される力が解除された時には、元の位置に戻ることになる。なお、蓋取手３０に熱伝導抑制用貫通孔３４を設けることにより蓋６の熱が蓋取手３０の先端側に伝わりにくくなり、蓋取手３０の温度を下げることができるため調理時に例え蓋６が熱くなっていたとしても蓋取手３０を持って蓋６を容易に持ち上げることができる。即ち、熱伝導抑制用貫通孔３４は、蓋取手３０の先端側への熱の移動を防止する通気孔を兼ねている。
【００５６】
ロックレバー２１と蓋取手３０との係合を図６及び図７により説明する。図６は係合直前の状態を、図７は係合後の状態を示す。
【００５７】
係合時には、図６に示すようにロックレバー２１の把持部２２を持って矢印の時計方向に回動することによって行う。この時、ロック用突起部材４２の突起部４３は、板バネ４０のビス４７を支点とするバネ力により上方へ押し上げられ、突起部４３の上端部４３ａは熱伝導抑制用貫通孔３４から上方に突出している。なお、板バネ４０とロック用突起部材４２とを連結するビス４６の頂部ｋは図に示すように円弧状段部３３の底部に当接しており、ロック用突起部材４２のそれ以上の上動を阻止している。
【００５８】
ロックレバー２１を回動していくと、ロックレバー２１の係止片２２ｅの外周端ｃが突起部４３の外周端ｄに当接する。かまわず回動を続けると、ロック用突起部材４２にはビス４７と突起部４３の外周端ｄとの距離に対応する曲げモーメントが発生し、ロック用突起部材４２にはロックレバー２１の回動に伴いビス４７を中心にした下向きの力が付与され、ロック用突起部材４２は下動される。
【００５９】
ロックレバー２１を回動し続けると、ロックレバー２１の係止片２２ｅの先端ｂは、突起部４３の先端４３ａに至り、ロック用突起部材４２を最下位置まで押し下げる。続いてロックレバー２１を回動すると、ロックレバー２１の係止片２２ｅの先端ｂは、突起部４３の先端４３ａを乗り越え、突起部４３の内周端ｆ側に至る。
【００６０】
すると、ロックレバー２１は図７に示すような状態になり、水平部２２ａの下端に形成される図１及び図１１に示す係止片２２ｅの先端ｂと係合突起２２ｆの先端とは舌状部３２の上面に当接し、係止片２２ｅと係合突起２２ｆとで本体ケース２と蓋６とを強固に狭持する。この時、ロック用突起部材４２は元の位置に戻っている。なお、本体ケース２と蓋６との狭持は、係止片２２ｅの上下方向の長さを係合突起２２ｆのものと比べ短くして横方向に長く形成される係合突起２２ｆのみで行ってもよい。
【００６１】
ロックレバー２１を解除する時は逆の動作を行う。即ち、図７の状態からロックレバー２１を反時計方向に回動すると、ロックレバー２１の係止片２２ｅの内周端ａが突起部４３の内周端ｆに当接する。かまわず回動を続けると、ロック用突起部材４２にはビス４７と突起部４３の内周端ｆとの距離に対応する曲げモーメントが発生し、ロック用突起部材４２にはロックレバー２１の回動に伴いビス４７を中心にした下向きの力が付与され、ロック用突起部材４２は下動される。
【００６２】
ロックレバー２１を回動し続けると、ロックレバー２１の係止片２２ｅの先端ｂは、突起部４３の先端４３ａに至り、ロック用突起部材４２を最下位置まで押し下げる。続いてロックレバー２１を回動すると、ロックレバー２１の係止片２２ｅの先端ｂは、突起部４３の先端４３ａを乗り越え、突起部４３の外周端ｄ側に至り、そのまま回動を続けるとロックレバー２１とロック用突起部材４２との係合は解除される。
【００６３】
このようにロックレバー２１の係合時と解除時では、ロックレバー２１の係止片２２ｅとロック用突起部材４２の突起部４３との当接位置が異なる、即ち、当接位置と支点となるビス４７との距離は、係合時では、ビス４７と突起部４３の外周端ｄであるのに対し、解除時では、ビス４７と突起部４３の内周端ｆであり、両者間には図６で示すように距離Ｓ相違する。そのため、係合時には、曲げモーメントが大きくなり小さな力で係合することができるようになり、係合を容易にし、解除時には、曲げモーメントが小さくなるためより大きな力でなければ解除できず、小さな子供がいたずらでその係合を解除しようとしても簡単に解除できず、また、ホットプレート１を積み重ねて持ち運びする際、簡単に係合が解除することはないため安心して持ち運びすることができる。
【実施例２】
【００６４】
図２１に他の例を示す。この例は、蓋取手及びロック用突起部材の変形例であり、蓋並びにロックレバーについては実施例１のものと同様であり、同じ符号を用いるとともにその詳細については省略する。
【００６５】
蓋取手５０は、蓋６上に位置し平面視略円弧状の肉厚の本体部５１と、該本体部５１から外方に一体的に延設され平面視矩形状の肉薄の舌状部５２とからなる樹脂製部材である。
【００６６】
舌状部５２は本体部５１より一段低くされ、両者５１、５２の境界には段部５３が形成されるとともに、舌状部５２上下に貫通した矩形状の熱伝導抑制用貫通孔５４が形成される。該熱伝導抑制用貫通孔５４は、下方に大きな下部空間５４ａを上方に小さな上部空間５４ｂを有する平面視矩形で断面Ｔ字状の空間からなる。
【００６７】
また、前記本体部５１の底部中央には、蓋取手用段部１０に嵌入可能な凸部５８が形成されており、該凸部５８を蓋取手用段部１０に嵌入し、蓋６の下方からビス５９を螺合することにより蓋取手５０と蓋６とを一体化する。
【００６８】
ロック用突起部材５５は、上方に突出した突起部５５ａと該突起部５５ａの下端で水平方向に張り出したフランジ部５５ｂからなる断面Ｔ字状の樹脂製もしくは金属製部材であり、突起部５５ａは上部空間５４ｂに位置し、フランジ部５５ｂは下部空間５４ａに位置する形態で熱伝導抑制用貫通孔５４内に収納配置される。
【００６９】
そして、前記下部空間５４ａのフランジ部５５ｂの下方にはスプリング５６が配置され、該スプリング５６の配置後、下部空間５４ａの底部に板体５７がビス等で固定される。その結果、熱伝導抑制用貫通孔５４内には、フランジ部５５ｂと板体５７との間にスプリング５６が介在され、ロック用突起部材５５の突起部５５ａが上部空間５４ｂより上方に突出する形態とされる。
【００７０】
ロックレバー２１の係合時には、図６と同様にロックレバー２１が時計方向に回動され、把持部２２の先端下部に設けられる係止片２２ｅが突起部５５ａを押し下げ、内側に入り込むことにより係合し、解除時には、ロックレバー２１が反時計方向に回動され、把持部２２の先端下部に設けられる係止片２２ｅが突起部５５ａを押し下げ、外側に出ることにより係合が解除される。なお、この例の場合は、係合時も解除時スプリング５６のバネ力は同じであるため同じ力で行われる。この例のものもプレート等を積み重ねた場合等の上下の高さ変動を吸収することができる。
【実施例３】
【００７１】
図２２、図２３に更に他の例を示す。この例は、蓋取手及びロック用突起部材の更なる変形例であり、蓋並びにロックレバーについては実施例１のものと同様であり、同じ符号を用いるとともにその詳細については省略する。
【００７２】
蓋取手６０は、蓋６上に位置し平面視略円弧状の肉厚の本体部６１と、該本体部６１から外方に一体的に延設され平面視矩形状の肉薄の舌状部６２とからなる樹脂製部材である。
【００７３】
舌状部６２は本体部６１より一段低くされ、上方開口で略円形の窪み６４が形成されるとともに、該窪み６４の前後には前部溝６４ａ及び後部溝６４ｂが形成される。また、前記本体部６１の底部中央には、蓋取手用段部１０に嵌入可能な凸部６７が形成されており、該凸部６７を蓋取手用段部１０に嵌入し、蓋６の下方からビス６８を螺合することにより蓋取手６０と蓋６とを一体化する。
【００７４】
ロック用突起部材６５は、上方に突出した略円形の押圧部６５ａと該押圧部６５ａの前方に一体に形成される突起部６５ｂと該押圧部６５ａの後方に一体に形成される軸部６５ｃとからなり、突起部６５ｂを窪み６４の前部溝６４ａ内に位置させ、軸部６５ｃを後部溝６４ｂ内に形成される図示しない軸受け用孔に嵌合し、ロック用突起部材６５を軸部６５ｃを中心に回動自在に配置する。
【００７５】
また、ロック用突起部材６５の押圧部６５ａの下部と窪み６４の底部との間にはスプリング６６が配置され、ロック用突起部材６５は常時上方へ押圧され、押圧部６５ａの上面は図２３に示すように蓋取手６０の本体部６１の上面と同一面になるよう設定される。
【００７６】
ロックレバー２１の係合時には、図６と同様にロックレバー２１が時計方向に回動され、把持部２２の先端下部に設けられる係止片２２ｅが突起部６５ｂを押し下げ、内側に入り込むことにより係合し、解除時には、押圧部６５ａを指で押し下げ、ロックレバー２１を軸部６５ｃを中心に反時計方向に回動することにより行われる。この例のものもプレート等を積み重ねた場合等の上下の高さ変動を吸収することができる。なお、この例のものは、押圧部６５ａを指で押さないと外れないためより安全である。
【００７７】
本願発明は、上記実施例の構成に限定されるものではなく、発明の要旨を逸脱しない範囲において適宜設計変更可能であることは勿論である。
【図面の簡単な説明】
【００７８】
【図１】本発明のホットプレートのロックレバーの使用状態を示す平面図
【図２】本発明のホットプレートのロックレバーの使用状態を示す長辺側正面図
【図３】本発明のホットプレートのロックレバーの使用状態を示す短辺側側面図
【図４】本発明のホットプレートの一部材である本体ケースを示す底面図
【図５】本発明のホットプレートのロックレバーの使用状態を示す一部拡大断面図
【図６】本発明のロックレバーと蓋取手との係合直前の状態を示す一部拡大断面図
【図７】本発明のロックレバーと蓋取手との係合時の状態を示す一部拡大断面図
【図８】本発明のロックレバーを軸支する軸体の一部断面状態を含む側面図
【図９】本発明のロックレバーを軸支する軸体を本体ケース裏面の溝内に挿入した状態を示す図４のＡ部拡大底面図
【図１０】図９のＢ−Ｂ線断面図
【図１１】本発明のロックレバーの平面図
【図１２】図１１のＣ−Ｃ線断面図
【図１３】本発明のロックレバーの側面図
【図１４】本発明の蓋突起の平面図
【図１５】図１４のＤ−Ｄ線断面図
【図１６】本発明の板バネの平面図
【図１７】図１６のＥ−Ｅ線断面図
【図１８】本発明のロック用突起部材の平面図
【図１９】図１８のＦ−Ｆ線断面図
【図２０】（Ａ）は本発明のロックレバーと軸体との組み立て概略図、（Ｂ）は本発明のロックレバー及び軸体と本体ケースとの組み立て概略図
【図２１】本発明のロックレバーと蓋突起との他の係合状態を示す一部拡大断面図
【図２２】本発明のロックレバーと蓋突起との更に他の係合状態を示す一部拡大断面図
【図２３】図２２の係合状態を示す斜視図
【図２４】従来のホットプレートのロックレバーの使用状態を示す断面図
【符号の説明】
【００７９】
１…ホットプレート        ２…本体ケース
３…遮熱部材              ４…ヒータ
５…プレート              ６…蓋
７…プレート取手          ８…プレート段部
９…カール                １０…蓋取手用段部
１１，４６，４７，５９…ビス    １２…脚部
１３…開口                １４，２８ｂ…補強リブ
１５…環状溝              １５ａ…ビス穴用ボス
１５ｂ，３６ａ，３５ａ，４１ａ…ビス穴
１６…収納空間            １７…短辺側面部
１８…縦溝                １９…側壁面
２０…切欠き溝            ２１…ロックレバー
２２…把持部              ２２ａ…水平部
２２ｂ…円弧部            ２２ｃ…後端部
２２ｄ…前端部            ２２ｅ…係止片
２２ｆ…係合突起          ２３…側柱部
２４…リブ                ２５…丸孔
２７…軸体                ２８，３１，５１，６１…本体部
２８ａ…ビス貫通口        ２８ｃ…短辺側面
２９…軸                  ２９ａ…軸突起
３０，５０，６０…蓋取手  ３２，５２，６２…舌状部
３３…円弧状段部          ３４，５４…熱伝導抑制用貫通孔
３５…蓋締結用ボス        ３６…バネ締結用ボス
４０…板バネ              ４２，５５，６５…ロック用突起部材
４３ａ…上端部            ４３，５５ａ，６５ｂ，６５ａ…突起部
４４…ボス部              ４５…載置面
５３，６３…段部          ５６，６６…スプリング
５７…板体                ５７…収納後板体
５８，６７…凸部          ５４ａ…下部空間
５４ｂ…上部空間          ５５ｂ…フランジ部
６４ａ…前部溝            ６４ｂ…後部溝
６５ａ…押圧部            ６５ｃ…軸部
【図１】
2005224260.tif 000003
【図２】
2005224260.tif 000004
【図３】
2005224260.tif 000005
【図４】
2005224260.tif 000006
【図５】
2005224260.tif 000007
【図６】
2005224260.tif 000008
【図７】
2005224260.tif 000009
【図８】
2005224260.tif 000010
【図９】
2005224260.tif 000011
【図１０】
2005224260.tif 000012
【図１１】
2005224260.tif 000013
【図１２】
2005224260.tif 000014
【図１３】
2005224260.tif 000015
【図１４】
2005224260.tif 000016
【図１５】
2005224260.tif 000017
【図１６】
2005224260.tif 000018
【図１７】
2005224260.tif 000019
【図１８】
2005224260.tif 000020
【図１９】
2005224260.tif 000021
【図２０】
2005224260.tif 000022
【図２１】
2005224260.tif 000023
【図２２】
2005224260.tif 000024
【図２３】
2005224260.tif 000025
【図２４】
2005224260.tif 000026